(57)【特許請求の範囲】
【請求項１】
投入されて識別通路を通過する硬貨の真偽及び金種を識別する識別手段と、
前記識別手段により正貨と識別された硬貨を前記識別通路の下流側となる硬貨振分部に案内する一方、前記識別手段により偽貨と識別された硬貨を排出口に連通する偽貨通路に案内するゲート部材と、
前記識別通路と前記硬貨振分部との間での硬貨の通過を検知する検知手段と、
前記識別手段による識別の後に前記検知手段により硬貨の通過が検知された場合に、該硬貨を受け入れた旨の硬貨受入通知を該硬貨の金種に関する情報を含めて上位装置へ送出する制御手段とを備え、前記硬貨振分部にて硬貨を金種毎に振り分ける硬貨処理装置において、
前記制御手段は、前記識別手段による識別が行われずに前記検知手段により硬貨の通過が検知された場合、該硬貨が引き抜かれたものと判定するとともに、直前に送出した前記硬貨受入通知に含まれる金種の硬貨のみを前記硬貨振分部に受け入れることを所定時間禁止にさせ、かつ他の金種の硬貨を前記硬貨振分部に受け入れることを許容する受入禁止動作を行うことを特徴とする硬貨処理装置。
【請求項２】
前記制御手段は、入力手段を通じて受入禁止動作が有効とされる場合には、前記受入禁止動作を行う一方、前記入力手段を通じて受入禁止動作が無効とされる場合には、前記受入禁止動作を行うことを規制することを特徴とする請求項１に記載の硬貨処理装置。
【発明の詳細な説明】
【技術分野】
【０００１】
本発明は、硬貨処理装置に関し、より詳細には、例えば自動販売機に適用される硬貨処理装置に関するものである。
【背景技術】
【０００２】
従来、例えば自動販売機に適用される硬貨処理装置として、識別手段、硬貨振分ゲート、投入センサ及び制御手段を備えたものが知られている。
【０００３】
識別手段は、凹凸センサ、材質センサ、材厚センサ及び識別部により構成されている。凹凸センサ、材質センサ及び材厚センサは、それぞれ硬貨投入口より投入された硬貨が通過する識別通路の近傍に設けられている。凹凸センサは、識別通路を通過する硬貨の凹凸を検知するものであり、材質センサ及び材厚センサよりも上流側に設けられている。材質センサは、識別通路を通過する硬貨の材質を検知するものである。材厚センサは、識別通路を通過する硬貨の厚みを検知するものであり、凹凸センサ及び材質センサよりも下流側に設けられている。識別部は、凹凸センサ、材質センサ及び材厚センサによる検知結果により、識別通路を通過する硬貨の真偽及び金種を識別するものである。
【０００４】
硬貨振分ゲートは、識別通路を通過した硬貨を偽貨通路及び正貨通路のいずれか一方に案内する態様で揺動可能に設けられ、かつ偽貨通路を開放して正貨通路を閉塞する姿勢と、偽貨通路を閉塞して正貨通路を開放する姿勢とに切り替わるものである。この硬貨振分ゲートは、通常、偽貨通路を開放して正貨通路を閉塞する姿勢となっている。偽貨通路は、硬貨を排出口に案内する通路であり、正貨通路は、硬貨振分部に案内する通路である。硬貨振分部は、識別手段により金種が識別された硬貨（正貨）を該識別手段の識別結果に応じて振り分けるものである。
【０００５】
投入センサは、正貨通路における硬貨の通過を検知するものである。制御手段は、識別手段による識別結果に応じて硬貨振分ゲートを揺動させるとともに、投入センサにより硬貨の通過が検知された場合に、上位装置に対して硬貨を受け入れた旨の硬貨受入通知を送出するものである。
【０００６】
このような硬貨処理装置においては、糸を括り付けた正貨（以下、糸吊り硬貨ともいう）が投入されて上位装置へ硬貨受入通知が送出された後に、該糸吊り硬貨の引き抜き動作が行われると、識別通路を通過する際に材厚センサが凹凸センサよりも先に検知することで該識別通路での逆流が検出される。このように識別通路での逆流が検出されることで、硬貨処理装置は、硬貨が悪戯により引き抜かれたものと判定し、すべての金種の受け入れを禁止している（例えば、特許文献１参照）。
【先行技術文献】
【特許文献】
【０００７】
【特許文献１】特開２００６−０４００９９号公報
【発明の概要】
【発明が解決しようとする課題】
【０００８】
ところで、上記特許文献１に提案されている硬貨処理装置では、硬貨が悪戯により引き抜かれたものと判定した場合、すべての金種の受け入れを禁止しているので、引き抜かれたものと判定した金種以外の金種の硬貨の受け入れも禁止することとなり、硬貨の処理機会が減少してしまう虞れがあった。このように硬貨の処理機会が減少することは、硬貨処理装置が適用される自動販売機においても商品の販売機会の減少を招来することとなり、好ましいものではない。
【０００９】
本発明は、上記実情に鑑みて、引き抜きが行われた金種以外の硬貨の受け入れを許容して、硬貨の処理機会を十分に確保することができる硬貨処理装置を提供することを目的とする。
【課題を解決するための手段】
【００１０】
上記目的を達成するために、本発明に係る硬貨処理装置は、投入されて識別通路を通過する硬貨の真偽及び金種を識別する識別手段と、前記識別手段により正貨と識別された硬貨を前記識別通路の下流側となる硬貨振分部に案内する一方、前記識別手段により偽貨と識別された硬貨を排出口に連通する偽貨通路に案内するゲート部材と、前記識別通路と前記硬貨振分部との間での硬貨の通過を検知する検知手段と、前記識別手段による識別の後に前記検知手段により硬貨の通過が検知された場合に、該硬貨を受け入れた旨の硬貨受入通知を該硬貨の金種に関する情報を含めて上位装置へ送出する制御手段とを備え、前記硬貨振分部にて硬貨を金種毎に振り分ける硬貨処理装置において、前記制御手段は、前記識別手段による識別が行われずに前記検知手段により硬貨の通過が検知された場合、該硬貨が引き抜かれたものと判定するとともに、直前に送出した前記硬貨受入通知に含まれる金種の硬貨のみを前記硬貨振分部に受け入れることを所定時間禁止にさせ、かつ他の金種の硬貨を前記硬貨振分部に受け入れることを許容する受入禁止動作を行うことを特徴とする。
【００１１】
また本発明は、上記硬貨処理装置において、前記制御手段は、入力手段を通じて受入禁止動作が有効とされる場合には、前記受入禁止動作を行う一方、前記入力手段を通じて受入禁止動作が無効とされる場合には、前記受入禁止動作を行うことを規制することを特徴とする。
【発明の効果】
【００１２】
本発明によれば、制御手段が、識別手段による識別が行われずに検知手段により硬貨の通過が検知された場合、該硬貨が引き抜かれたものと判定するとともに、直前に送出した硬貨受入通知に含まれる金種の硬貨のみを硬貨振分部に受け入れることを所定時間禁止にさせ、かつ他の金種の硬貨を硬貨振分部に受け入れることを許容する受入禁止動作を行うので、引き抜きが行われた金種以外の硬貨の受け入れを許容して、硬貨の処理機会を十分に確保することができるという効果を奏する。
【図面の簡単な説明】
【００１３】
【図１】図１は、本発明の実施の形態である硬貨処理装置の模式図である。
【図２】図２は、本発明の実施の形態である硬貨処理装置の特徴的な制御系を示すブロック図である。
【図３】図３は、図２に示した制御部が実施する投入硬貨収納処理の処理内容を示すフローチャートである。
【図４】図４は、図３に示した硬貨受入処理の処理内容を示すフローチャートである。
【図５】図５は、図３に示した受入禁止設定処理の処理内容を示すフローチャートである。
【図６】図６は、図３に示した硬貨受入処理の処理内容、すなわち受入禁止設定処理において特定の金種の受け入れを所定時間禁止する設定が行われた場合の硬貨受入処理の処理内容を示すフローチャートである。
【発明を実施するための形態】
【００１４】
以下に添付図面を参照して、本発明に係る硬貨処理装置の好適な実施の形態について詳細に説明する。
【００１５】
図１は、本発明の実施の形態である硬貨処理装置の模式図であり、図２は、本発明の実施の形態である硬貨処理装置の特徴的な制御系を示すブロック図である。ここで例示する硬貨処理装置は、例えば自動販売機等に適用されるもので、硬貨識別部１０、硬貨振分部３０、硬貨収納部４０、硬貨払出部５０及び制御部（制御手段）６０を備えて構成されている。
【００１６】
硬貨識別部１０は、硬貨投入口１１より投入された硬貨を識別するものであり、識別通路１２及び識別手段１３を備えている。識別通路１２は、硬貨投入口１１より投入された硬貨を通過させる通路である。
【００１７】
識別手段１３は、識別センサ１３ａ及び識別部１３ｂを備えている。識別センサ１３ａは、複数（図示の例では３つ）あり、それぞれが識別通路１２の近傍に設けられている。これら識別センサ１３ａは、識別通路１２を通過する硬貨の外径、材質及び厚みを検知し、それらの検知結果を検知信号として識別部１３ｂに送出するものである。識別部１３ｂは、各識別センサ１３ａから送出された検知信号と、内蔵する記憶部に記憶された基準データとから、硬貨の真偽及び金種を識別するものである。この識別部１３ｂは、硬貨の真偽及び金種を識別した場合に、識別結果を識別信号として制御部６０に送出するものである。
【００１８】
硬貨振分部３０は、硬貨識別部１０の下方側に設けられている。この硬貨振分部３０は、識別手段１３にて正貨として識別された硬貨を、該識別手段１３の金種の識別結果に応じて振り分けるものである。
【００１９】
このような硬貨識別部１０と硬貨振分部３０との間には、硬貨振分ゲート２０が設けられている。硬貨振分ゲート２０は、識別通路１２の下流側に揺動可能に設けられており、該識別通路１２を通過した硬貨を正貨通路２１及び偽貨通路２２のいずれかに振り分けるものである。正貨通路２１は、硬貨振分部３０に連通しており、偽貨通路２２は、所定の排出口２３に連通している。
【００２０】
この硬貨振分ゲート２０は、図示せぬ振分用プランジャを介して振分用ソレノイド２４に連係しており、該振分用プランジャを巻回する態様で設けられた図示せぬ振分用ゲートスプリングにより、常態においては正貨通路２１を閉塞して偽貨通路２２を開放する第１姿勢となるものである。また、硬貨振分ゲート２０は、振分用ソレノイド２４が通電状態となって駆動する場合には、振分用プランジャが吸引されることにより振分用ゲートスプリングの付勢力に抗して揺動し、正貨通路２１を開放して偽貨通路２２を閉塞する第２姿勢となるものである。
【００２１】
つまり、硬貨振分ゲート２０は、常態においては第１姿勢となって識別通路１２を通過した硬貨を偽貨通路２２に案内する一方、振分用ソレノイド２４が駆動する場合には第２姿勢となって識別通路１２を通過した硬貨を正貨通路２１に案内するものである。
【００２２】
上記正貨通路２１には投入センサ２５が設けられている。投入センサ２５は、正貨通路２１を通過する硬貨を検知する検知手段である。この投入センサ２５は、正貨通路２１を通過する硬貨を検知した場合に、検知結果を投入信号として制御部６０に送出するものである。
【００２３】
硬貨収納部４０は、硬貨振分部３０により金種毎に振り分けられた硬貨をそれぞれ収納するものである。硬貨払出部５０は、硬貨収納部４０に収納されている硬貨を払い出すものである。
【００２４】
制御部６０は、メモリ７０に記憶されたプログラムやデータにしたがって硬貨処理装置の動作を統括的に制御するものであり、入力処理部６１、通信処理部６２、出力処理部６３、判定処理部６４及び設定処理部６５を有している。尚、制御部６０は、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００２５】
入力処理部６１は、識別手段１３を構成する識別部１３ｂから送出される識別信号や、投入センサ２５から送出される投入信号を入力するものである。また、入力処理部６１は、入力手段１から与えられる指令信号を入力するものである。ここで入力手段１は、例えばテンキーやリモートコントローラの操作入力部等により構成されるものであり、管理者により操作された場合にその操作結果に応じた指令信号を制御部６０に与えるものである。本実施の形態においては、詳細は後述するが、受入禁止動作を有効とする入力操作が行われた場合には、受入禁止動作を有効とする指令信号を制御部６０に与える一方、受入禁止動作を無効とする入力操作が行われた場合には、受入禁止動作を無効とする指令信号を制御部６０に与えるものである。
【００２６】
通信処理部６２は、硬貨処理装置が適用される自動販売機の自販機制御部（上位装置）２との間で各種信号やデータの送受信を行うものである。
【００２７】
出力処理部６３は、振分用ソレノイド２４に対して硬貨振分ゲート駆動指令を送出することにより、該振分用ソレノイド２４を所定時間通電状態にさせて駆動させるものである。
【００２８】
判定処理部６４は、入力処理部６１を通じて識別信号を入力しないで投入信号を入力した場合に、硬貨の引き抜きが行われたと判定するものである。
【００２９】
設定処理部６５は、後述する投入硬貨収納処理において、入力手段１を通じて指令信号を入力した場合、該指令信号に応じて受入禁止動作を有効とする設定、あるいは受入禁止動作を無効とする設定を行うものである。また、設定処理部６５は、判定処理部６４を通じて受入禁止動作を有効と設定されるとともに硬貨の引き抜きが判定された場合、直前に自販機制御部２に送出した後述する硬貨受入通知の金種の受け入れを禁止する設定を行うものである。
【００３０】
図３は、図２に示した制御部６０が実施する投入硬貨収納処理の処理内容を示すフローチャートである。かかる投入硬貨収納処理の処理内容を説明しながら硬貨処理装置の動作について説明する。
【００３１】
尚、以下の説明においては、前提として、入力手段１において受入禁止動作を有効とする入力操作が行われているものとする。これにより、入力手段１より受入禁止動作を有効とする指令信号が制御部６０に与えられる結果、制御部６０は、入力処理部６１を通じて指令信号を入力し、その後に設定処理部６５を通じて受入禁止動作が有効と設定されている。
【００３２】
投入硬貨収納処理において制御部６０は、入力処理部６１を通じて識別部１３ｂより識別信号を入力した場合（ステップＳ１０１：Ｙｅｓ）、すなわち、硬貨投入口１１を通じて投入されて識別通路１２を通過する硬貨の外径、材質及び厚みを識別センサ１３ａで検知してその検知信号を受信した識別部１３ｂが該硬貨の真偽及び金種を識別し、該識別部１３ｂが送出した識別信号を入力した場合、硬貨受入処理を実施する（ステップＳ２００）。
【００３３】
図４は、図３に示した硬貨受入処理の処理内容を示すフローチャートである。この硬貨受入処理において制御部６０は、入力処理部６１を通じて入力した識別信号により上記硬貨が正貨でない場合（ステップＳ２０１：Ｎｏ）、すなわち該硬貨が偽貨である場合、制御部６０は、後述する処理を実施することなく、手順をリターンさせて今回の硬貨受入処理を終了する。このように硬貨受入処理を終了することで、手順がリターンされて今回の投入硬貨収納処理も終了する。
【００３４】
これによれば、上述したように硬貨振分ゲート２０が第１姿勢となることから、識別通路１２を通過した硬貨は、偽貨通路２２を通過して排出口２３より排出され、その後に、自動販売機の返却口に送出される。
【００３５】
上記ステップＳ２０１において硬貨が正貨である場合（ステップＳ２０１：Ｙｅｓ）、制御部６０は、出力処理部６３を通じて振分用ソレノイド２４に対して硬貨振分ゲート駆動指令を送出する（ステップＳ２０２）。これにより、振分用ソレノイド２４は、所定時間通電状態となって駆動することで振分用プランジャを吸引し、第１姿勢にある硬貨振分ゲート２０を揺動させて第２姿勢にさせる。よって、識別通路１２を通過した硬貨は、正貨通路２１を通過して硬貨振分部３０に送出される。
【００３６】
硬貨振分ゲート駆動指令を送出した制御部６０は、入力処理部６１を通じて投入センサ２５からの投入信号の入力待ちとなる（ステップＳ２０３）。
【００３７】
そして、正貨通路２１を通過する硬貨を投入センサ２５が検知することにより投入信号が送出されて、入力処理部６１を通じて投入信号を入力した場合（ステップＳ２０３：Ｙｅｓ）、制御部６０は、通信処理部６２を通じて自販機制御部２に対して該硬貨を受け入れた旨の硬貨受入通知を送出し（ステップＳ２０４）、その後に手順をリターンさせて今回の処理を終了する。このように硬貨受入処理を終了することで、手順がリターンされて今回の投入硬貨収納処理も終了する。
【００３８】
これによれば、自販機制御部２では、正貨である硬貨が投入されたことを認識して、利用者により選択される商品の払い出し動作等を行うことが可能になる。
【００３９】
ところで、正貨通路２１を通過して硬貨振分部３０に送出された硬貨は、硬貨振分部３０にて振り分けられてその後に硬貨収納部４０に収納されたり、硬貨振分部３０において釣銭用硬貨として保持されたりする。
【００４０】
一方、投入硬貨収納処理において制御部６０は、入力処理部６１を通じて識別信号を入力せずに投入センサ２５からの投入信号を入力した場合（ステップＳ１０１：Ｎｏ，ステップＳ１０２：Ｙｅｓ）、受入禁止設定処理を実施する（ステップＳ３００）。
【００４１】
図５は、図３に示した受入禁止設定処理の処理内容を示すフローチャートである。この受入禁止設定処理において制御部６０は、判定処理部６４を通じて受入禁止動作が有効とされているか否かを確認する（ステップＳ３０１）。上述したように設定処理部６５を通じて受入禁止動作が有効と設定されているので、制御部６０は、受入禁止動作が有効と設定されている場合（ステップＳ３０１：Ｙｅｓ）、判定処理部６４を通じて硬貨の引き抜きが行われたと判定する（ステップＳ３０２）。
【００４２】
このような判定を行った制御部６０は、設定処理部６５を通じて直前に自販機制御部２に送出した硬貨受入通知の金種の受け入れを所定時間禁止する設定を行い（ステップＳ３０３）、その後に手順をリターンさせて今回の処理を終了する。このように受入禁止設定処理を終了することで、手順がリターンされて今回の投入硬貨収納処理も終了する。
【００４３】
このようにして受入禁止設定処理において特定の金種の受け入れを所定時間禁止する設定が行われた場合、投入硬貨収納処理における硬貨受入処理は、該所定時間が経過するまで次のようになる。
【００４４】
図６は、図３に示した硬貨受入処理の処理内容、すなわち受入禁止設定処理において特定の金種の受け入れを所定時間禁止する設定が行われた場合の硬貨受入処理の処理内容を示すフローチャートである。
【００４５】
この硬貨受入処理において制御部６０は、入力処理部６１を通じて入力した識別信号により上記硬貨が正貨でない場合（ステップＳ２１１：Ｎｏ）、すなわち該硬貨が偽貨である場合、制御部６０は、後述する処理を実施することなく、手順をリターンさせて今回の硬貨受入処理を終了する。このように硬貨受入処理を終了することで、手順がリターンされて今回の投入硬貨収納処理も終了する。
【００４６】
これによれば、上述したように硬貨振分ゲート２０が第１姿勢となることから、識別通路１２を通過した硬貨は、偽貨通路２２を通過して排出口２３より排出され、その後に、自動販売機の返却口に送出される。
【００４７】
上記ステップＳ２１１において硬貨が正貨である場合（ステップＳ２１１：Ｙｅｓ）、制御部６０は、該硬貨の金種が受け入れ可能なものであるか否かを判定する（ステップＳ２１２）。
【００４８】
硬貨が受け入れ可能な金種でない場合（ステップＳ２１１：Ｎｏ）、すなわち該硬貨が受入禁止とされる特定の金種である場合、制御部６０は、後述する処理を実施することなく、手順をリターンさせて今回の硬貨受入処理を終了する。このように硬貨受入処理を終了することで、手順がリターンされて今回の投入硬貨収納処理も終了する。
【００４９】
これによれば、上述したように硬貨振分ゲート２０が第１姿勢となることから、識別通路１２を通過した硬貨は、偽貨通路２２を通過して排出口２３より排出され、その後に、自動販売機の返却口に送出される。
【００５０】
硬貨が受け入れ可能な金種である場合（ステップＳ２１１：Ｙｅｓ）、すなわち該硬貨が受入禁止とされる特定の金種に該当しない場合、制御部６０は、出力処理部６３を通じて振分用ソレノイド２４に対して硬貨振分ゲート駆動指令を送出する（ステップＳ２１３）。これにより、振分用ソレノイド２４は、所定時間通電状態となって駆動することで振分用プランジャを吸引し、第１姿勢にある硬貨振分ゲート２０を揺動させて第２姿勢にさせる。よって、識別通路１２を通過した硬貨は、正貨通路２１を通過して硬貨振分部３０に送出される。
【００５１】
硬貨振分ゲート駆動指令を送出した制御部６０は、入力処理部６１を通じて投入センサ２５からの投入信号の入力待ちとなる（ステップＳ２１４）。
【００５２】
そして、正貨通路２１を通過する硬貨を投入センサ２５が検知することにより投入信号が送出されて、入力処理部６１を通じて投入信号を入力した場合（ステップＳ２１４：Ｙｅｓ）、制御部６０は、通信処理部６２を通じて自販機制御部２に対して該硬貨を受け入れた旨の硬貨受入通知を送出し（ステップＳ２１５）、その後に手順をリターンさせて今回の処理を終了する。このように硬貨受入処理を終了することで、手順がリターンされて今回の投入硬貨収納処理も終了する。
【００５３】
これによれば、自販機制御部２では、正貨である硬貨が投入されたことを認識して、利用者により選択される商品の払い出し動作等を行うことが可能になる。
【００５４】
ところで、正貨通路２１を通過して硬貨振分部３０に送出された硬貨は、硬貨振分部３０にて振り分けられてその後に硬貨収納部４０に収納されたり、硬貨振分部３０において釣銭用硬貨として保持されたりする。
【００５５】
尚、受入禁止設定とされる所定時間が経過した場合や、入力手段１において受入禁止動作を無効とする入力操作が行われることにより、入力手段１より受入禁止動作を無効とする指令信号が与えられて制御部６０において設定処理部６５を通じて受入禁止動作が無効と設定されている場合には、図４に示す硬貨受入処理が実施される。
【００５６】
以上説明したように、本実施の形態である硬貨処理装置においては、制御部６０が、識別手段１３による識別が行われずに投入センサ２５により硬貨の通過が検知された場合、該硬貨が引き抜かれたものと判定するとともに、直前に送出した硬貨受入通知に含まれる金種の硬貨のみを硬貨振分部３０に受け入れることを所定時間禁止にさせ、かつ他の金種の硬貨を硬貨振分部３０に受け入れることを許容する受入禁止動作を行っている。これにより、上記硬貨処理装置によれば、引き抜きが行われた金種以外の硬貨の受け入れを許容して、硬貨の処理機会を十分に確保することができる。特に、硬貨処理装置が適用される自動販売機においては、硬貨の処理機会が十分に確保されることで、商品の販売機会を維持することができる。
【００５７】
上記硬貨処理装置によれば、制御部６０は、入力手段１を通じて受入禁止動作が有効とされる場合には、受入禁止動作を行う一方、入力手段１を通じて受入禁止動作が無効とされる場合には、受入禁止動作を行うことを規制しているので、受入禁止動作の有無を管理者が任意に設定することができ、適用されるロケーションに応じた弾力的な運用を行うことができる。
【００５８】
以上、本発明の好適な実施の形態について説明したが、本発明はこれに限定されるものではなく、種々の変更を行うことができる。
【００５９】
上述した実施の形態においては、受入禁止設定処理において、受入禁止動作が有効と設定されている場合に、引き抜かれたものと判定した硬貨の金種の受け入れを所定時間禁止する設定を行うようにしていたが、本発明においては、次のようにすることもできる。すなわち、受入禁止設定処理においては、受入禁止動作の有効及び無効の設定に関わらず、引き抜かれたものと判定した硬貨の金種の受け入れを所定時間禁止する設定を行うようにする。そして、硬貨受入処理において、受入禁止動作が無効と設定されている場合には、当該硬貨の金種が受け入れ禁止されるものであっても、硬貨振分ゲート２０を第１姿勢から第２姿勢に揺動させて硬貨振分部３０に送出するようにしてもよい。これによっても、受入禁止動作の有無を管理者が任意に設定することができ、適用されるロケーションに応じた弾力的な運用を行うことができる。
【符号の説明】
【００６０】
１  入力手段
２  自販機制御部
１０  硬貨識別部
１１  硬貨投入口
１２  識別通路
１３  識別手段
１３ａ  識別センサ
１３ｂ  識別部
２０  硬貨振分ゲート
２１  正貨通路
２２  偽貨通路
２３  排出口
２４  振分用ソレノイド
２５  投入センサ
３０  硬貨振分部
６０  制御部
６１  入力処理部
６２  通信処理部
６３  出力処理部
６４  判定処理部
６５  設定処理部
７０  メモリ
【図１】
0006638485.tif 000002
【図２】
0006638485.tif 000003
【図３】
0006638485.tif 000004
【図４】
0006638485.tif 000005
【図５】
0006638485.tif 000006
【図６】
0006638485.tif 000007